(57)【要約】【課題】複数のＨＤＭＩ端子を備え、該ＨＤＭＩ端子を介して複数の外部機器と接続可能な表示装置において、外部機器の入力切換処理における操作性を改善する。【解決手段】テレビ装置１００は、３つのＨＤＭＩ端子１０７〜１０９を介して複数の外部機器と接続される。テレビ装置１００は、ユーザ操作により複数の外部機器のいずれかへ入力切換の指示がなされたときに、入力切換指示された外部機器へ入力経路を切り換えるためのＣＥＣコマンドを送信する入力切換制御手段１０４ａを備える。入力切換制御手段１０４ａは、前記入力切換指示によりＨＤＭＩ端子の入力切換が必要と判定した場合、外部機器へＣＥＣコマンドを送信すると共に、ＣＥＣコマンドに対する外部機器からの応答の有無にかかわらず、外部機器に対応するＨＤＭＩ端子へ入力を切り換える。【選択図】図３
2008205562.tif 000002
【特許請求の範囲】
【請求項１】
複数のＨＤＭＩ端子を備え、該ＨＤＭＩ端子を介して複数の外部機器と接続可能な表示装置であって、
ユーザ操作により前記複数の外部機器のいずれかへ入力切換の指示がなされたときに、該入力切換指示された外部機器へ入力経路を切り換えるためのＣＥＣコマンドを送信する入力切換制御手段を備え、
前記入力切換制御手段は、前記入力切換指示によりＨＤＭＩ端子の入力切換が必要と判定した場合、前記外部機器へ前記ＣＥＣコマンドを送信すると共に、前記ＣＥＣコマンドに対する前記外部機器からの応答の有無にかかわらず、前記外部機器の出力に対応する入力経路に接続されたＨＤＭＩ端子へ入力を切り換えることを特徴とする表示装置。
【請求項２】
請求項１に記載の表示装置において、前記入力切換制御手段は、前記入力切換指示によりＨＤＭＩ端子の入力切換が不要と判定した場合、前記外部機器へ前記ＣＥＣコマンドを送信することを特徴とする表示装置。
【請求項３】
請求項１又は２に記載の表示装置において、前記入力切換制御手段は、前記表示装置への入力経路に対応するＨＤＭＩ端子が入力切換元のＨＤＭＩ端子と異なる場合、ＨＤＭＩ端子の入力切換が必要と判定し、前記表示装置への入力経路に対応するＨＤＭＩ端子が入力切換元のＨＤＭＩ端子と同じ場合、ＨＤＭＩ端子の入力切換が不要と判定することを特徴とする表示装置。
【請求項４】
請求項３に記載の表示装置において、前記入力切換制御手段は、前記複数の外部機器の接続位置を示す物理アドレスに基づいて、前記複数のＨＤＭＩ端子を識別することを特徴とする表示装置。
【請求項５】
請求項１に記載の表示装置において、テレビジョン放送信号を受信する受信手段を備え、
前記入力切換制御手段は、入力切換元が前記受信手段である場合、ＨＤＭＩ端子への入力切換が必要と判定することを特徴とする表示装置。
【請求項６】
請求項１に記載の表示装置において、前記ＨＤＭＩ端子以外の外部入力端子を備え、
前記入力切換制御手段は、入力切換元が前記外部入力端子である場合、ＨＤＭＩ端子への入力切換が必要と判定することを特徴とする表示装置。
【請求項７】
請求項１に記載の表示装置において、前記入力切換指示された外部機器がＣＥＣ非対応機器である場合又はＣＥＣ対応機器であっても前記ＣＥＣコマンドに応答しなかった場合、
前記入力切換制御手段は、ＨＤＭＩ端子の入力切換が必要と判定し、前記外部機器の出力に対応する入力経路に接続されたＨＤＭＩ端子へ入力を切り換えることを特徴とする表示装置。
【請求項８】
請求項１乃至７のいずれか１項に記載の表示装置において、前記ＣＥＣコマンドは、ＨＤＭＩ規格で定義されたセットストリームパスであることを特徴とする表示装置。
【請求項９】
請求項１乃至８のいずれか１項に記載の表示装置において、前記入力切換制御手段は、ユーザ操作により前記複数の外部機器の入力経路にそれぞれ対応するＨＤＭＩ入力を切り換える際に、該複数の外部機器の接続位置を示す物理アドレスに従って昇順に切り換えることを特徴とする表示装置。
【請求項１０】
請求項９に記載の表示装置において、前記ＣＥＣコマンドにより前回切り換えられた入力経路を記憶する記憶手段を備え、
前記入力切換制御手段は、ユーザ操作によりＨＤＭＩ以外の入力からＨＤＭＩ入力へ切り換える際に、前記記憶手段に記憶された入力経路に対応するＨＤＭＩ入力に切り換えることを特徴とする表示装置。
【請求項１１】
請求項１乃至１０のいずれか１項に記載の表示装置と、該表示装置のＨＤＭＩ端子に直接にまたは他の外部機器のＨＤＭＩ端子を介して間接に接続される複数の外部機器とを備えた表示システム。
【発明の詳細な説明】
【技術分野】
【０００１】
本発明は、表示装置及び表示システム、より詳細には、ＨＤＭＩ(High Definition Multimedia Interface)等のデジタルインタフェースにより複数の外部機器と接続可能な表示装置、及び該装置を備えた表示システムに関する。
【背景技術】
【０００２】
映像／音声等伝送用のデジタルインタフェースとしてＨＤＭＩが知られている。ＨＤＭＩは、ＰＣとディスプレイの接続標準規格であるＤＶＩに音声伝送機能や著作権保護機能を加え、ＡＶ機器向けにアレンジしたものとなっている。
【０００３】
従来、テレビ（ＴＶ）とレコーダなどの複数のＡＶ機器を接続し、各ＡＶ機器からの映像を再生する場合、各ＡＶ機器との接続を切り換えるなどの方法で対応していた。しかし、ＨＤＭＩなどのデジタルインタフェースによってＡＶ機器を多数接続することができるようになってくると、機器間における接続の切り換え作業が煩雑になり、どの機器を操作対象としているか分かりにくい。
【０００４】
このような問題に対して、例えば、特許文献１には、複数の機器の中から、操作可能なアクティブ機器を特定する技術が開示されている。これは、ＩＥＥＥ１３９４シリアルバス上に接続された全機器をツリー表示し、操作可能なアクティブ機器とそうでない機器をグラフィカルに表示するものである。
【０００５】
また、ＨＤＭＩの場合、入力切換操作の際に、ＴＶからＣＥＣ（Consumer Electronics Control）コマンドである＜セットストリームパス＞を送信し、これに応答した機器をアクティブ機器としているものがある。これについて図５に基づいて説明する。
【０００６】
図５は、従来のＨＤＭＩ機器における入力切換処理の一例を説明するための図である。図中、３００はＴＶ（テレビ）等のシンク機器、４０１，４０２はＡＶアンプ等のリピータ機器、４０３，４０４はチューナ（受信装置）等のソース機器、４０５，４０６はプレーヤ（再生装置）等のソース機器、Ｒ１はＴＶ３００付属のリモコン、Ｒ２はリピータ機器４０２付属のリモコンを示す。チューナ４０３，４０４はリピータ機器４０１にＨＤＭＩ接続され、プレーヤ４０５，４０６はリピータ機器４０２にＨＤＭＩ接続される。さらに、リピータ機器４０１，４０２はＴＶ３００にＨＤＭＩ接続される。このようにして各外部機器はＴＶ３００とＨＤＭＩ接続される。
【０００７】
なお、図中の括弧内の数字（例えば、１．０．０．０）は、各機器の接続位置を示す物理アドレスであり、ＨＤＭＩ接続時あるいは電源オン時などに接続（階層）順に決定される。ＴＶ３００は、ＨＤＭＩ接続された各機器の物理アドレスを取得し、各機器に対して、物理アドレスを指定してＣＥＣコマンドを送ることができる。これにより各機器の制御が可能となる。このＣＥＣコマンドは、ＨＤＭＩで規格化されているＣＥＣプロトコルに基づく制御信号である。
【０００８】
図５において、まず、ユーザ（視聴者）がＴＶ３００に接続されたプレーヤ４０６の映像出力を視聴しているものとする。ユーザが入力ソースをプレーヤ４０６からプレーヤ４０５に切り換えるため（Ｓ１０１）、ＴＶ３００本体の操作部（図示せず）又はＴＶ３００付属のリモコンＲ１により、ＴＶ３００のメニュー（ＨＤＭＩ機器選択）を選択し、プレーヤ４０５の出力を切換先に指定する。ＴＶ３００のマイコン（図示せず）は、映像表示したいプレーヤ４０５の物理アドレス（２．１．０．０）をパラメータに付加して、＜セットストリームパス＞というＣＥＣコマンドをブロードキャストする。ここでの「ブロードキャスト」とは、特定の機器に対してではなく全機器を送信先対象とした信号の一斉送信のことをいう。
【０００９】
この＜セットストリームパス＞は、ＨＤＭＩ規格で定義されたＣＥＣ標準コマンドであり、入力経路を切り換えて、ＴＶに映像表示させる機器を選択するためのＣＥＣコマンドである。この＜セットストリームパス＞によれば、ユーザにより切り換え指示された機器へ自動的に入力経路を切り換えることができる。
【００１０】
ＴＶ３００からの＜セットストリームパス（２．１．０．０）＞を受けて、リピータ機器４０２は、プレーヤ４０５側へ入力を切り換える。そして、プレーヤ４０５は、自身が安定した映像出力可能な状態（すなわち、アクティブな状態）であればストリームを出力し、さらに、アクティブ機器であることを示す＜アクティブソース＞をブロードキャスト（送信）する。ＴＶ３００はプレーヤ４０５からの映像を出力させ、ユーザはリモコンＲ１によりプレーヤ４０５を操作することができる。
【００１１】
次に、ユーザが入力ソースをプレーヤ４０５からチューナ４０４に切り換えるため（Ｓ１０２）、ＴＶ３００本体の操作部又はリモコンＲ１により、ＴＶ３００のメニュー（ＨＤＭＩ機器選択）を選択し、チューナ４０４の出力を切換先に指定する。ＴＶ３００のマイコンは、映像表示したいチューナ４０４の物理アドレス（１．２．０．０）をパラメータに付加して、＜セットストリームパス＞をブロードキャストする。
【００１２】
ＴＶ３００からの＜セットストリームパス（１．２．０．０）＞を受けて、リピータ機器４０１は、チューナ４０４側へ入力を切り換える。そして、チューナ４０４は、自身が安定した映像出力可能な状態であればストリームを出力し、さらに、アクティブ機器であることを示す＜アクティブソース＞をブロードキャスト（送信）する。このとき、ＴＶ３００は、チューナ４０４からの＜アクティブソース＞を受けて、ＴＶ側の入力を入力４から入力１へ自動的に切り換える。そして、ＴＶ３００は、チューナ４０４からの映像を出力させ、ユーザはリモコンＲ１によりチューナ４０４を操作することができる。なお、このとき、ＴＶ３００は、＜ルーティングチェンジ（２．１．０．０）（１．２．０．０）＞のようにルート変更を示すＣＥＣコマンドをブロードキャストするようにしてもよい。
【００１３】
次に、ユーザが入力ソースをチューナ４０４からチューナ４０３に切り換えるため（Ｓ１０３）、ＴＶ３００本体の操作部又はリモコンＲ１により、ＴＶ３００のメニュー（ＨＤＭＩ機器選択）を選択し、チューナ４０３の出力を切換先に指定する。ＴＶ３００のマイコンは、映像表示したいチューナ４０３の物理アドレス（１．１．０．０）をパラメータに付加して、＜セットストリームパス＞をブロードキャストする。
【００１４】
ＴＶ３００からの＜セットストリームパス（１．１．０．０）＞を受けて、リピータ機器４０１は、チューナ４０３側へ入力を切り換える。そして、チューナ４０３は、自身が安定した映像出力可能な状態であればストリームを出力し、さらに、アクティブ機器であることを示す＜アクティブソース＞をブロードキャスト（送信）する。ＴＶ３００はチューナ４０３からの映像を出力させ、ユーザはリモコンＲ１によりチューナ４０３を操作することができる。
以上のＳ１０１〜Ｓ１０３は、ＴＶ３００側からソース機器（チューナ，プレーヤ）を切り換える場合についての説明である。
【００１５】
次に、ユーザがソース機器のマニュアル切換を行った場合について説明する。
まず、ユーザが入力ソースをプレーヤ４０６からプレーヤ４０５に切り換えるため（Ｓ１０１′）、リピータ機器４０２の本体操作部又はリピータ機器４０２付属のリモコンＲ２により、リピータ機器４０２の入力端子を入力６から入力５にマニュアルで切り換えた場合、リピータ機器４０２は、自身の入力が入力６から入力５に変更されたことを示すために、＜ルーティングチェンジ（２．２．０．０）（２．１．０．０）」というＣＥＣコマンドをブロードキャスト（送信）する。
【００１６】
これを受けてＴＶ３００は、プレーヤ４０５に対して、プレーヤ４０５の物理アドレス（２．１．０．０）をパラメータに付加して、＜セットストリームパス＞をブロードキャスト（送信）する。プレーヤ４０５は、自身が安定した映像出力可能であればストリームを出力し、さらに、＜アクティブソース＞をブロードキャストする。ＴＶ３００はプレーヤ４０５からの映像を出力させ、ユーザはリモコンＲ１によりプレーヤ４０５を操作することができる。
【００１７】
従来、ＨＤＭＩの入力切換処理においては、上述のＳ１０２のように、入力切換時にＴＶ側のＨＤＭＩ端子を切り換える必要がある場合、ＴＶ３００が、切換先機器の＜アクティブソース＞の応答を受けて、ＴＶ側の入力を切り換えるようにしている。このため当該切換先機器がスタンバイ状態にあるなどの理由で＜アクティブソース＞の応答がないと、ＴＶ側の入力を自動的に切り換えることができないという問題がある。
【００１８】
この場合、特許文献１に記載されているような接続機器一覧を表示させて、ユーザ操作によりＴＶ側の入力を切り換える等の方法が考えられるが、ユーザからすると、入力切換操作の度に、接続機器一覧を表示させてアクティブ機器を選択するという一連のマニュアル操作をする必要があり、操作が面倒であった。
【００１９】
次に、図６及び図７を参照して、従来のＨＤＭＩ機器選択におけるユーザ操作の例について説明する。
図６（Ａ）において、ユーザがリモコンの機能選択ボタン５０１を押下すると、図６（Ｂ）に示す機能選択メニューがＴＶの画面に表示される。ユーザは機能選択メニューを表示させた状態で、リモコンの上下カーソルキーを操作して、ＨＤＭＩ機器選択５０２を選択する。このＨＤＭＩ機器選択５０２が選択された状態（図中、白黒反転状態）でリモコンの決定ボタン（図示せず）を押下する毎に、ＨＤＭＩ機器の入力が順次切り換わる。
【００２０】
図７は、従来のＴＶが備える入力切換機能による逐次入力切換順序を説明するための図である。ＨＤＭＩのＣＥＣ機能に対応したＴＶの場合、ＴＶが備える逐次入力切換機能をＨＤＭＩ機器に特化したＨＤＭＩ機器逐次入力切換機能が実装されている。図６（Ｂ）に示したＨＤＭＩ機器選択のメニューに対応した内部処理順は、図７（Ａ）に示すようにＨＤＭＩ入力３，２，１の降順になっている。従って、ＨＤＭＩの逐次入力の切換順（降順）と、ＨＤＭＩ以外の逐次入力の切換順（昇順、図７（Ｂ）を参照）とは順序が異なっており、統一がとれていなかった。
【００２１】
また、ＨＤＭＩ以外の入力からＨＤＭＩ入力へ切り換えたときに、ＨＤＭＩ入力の特定のポート（例えば、ＨＤＭＩ入力１）に切り換わるようになっている。このため、ユーザがＨＤＭＩ入力３からの映像を視聴していて、一旦ＨＤＭＩ以外の入力１に切り換えた後、再びＨＤＭＩ入力に切り換えると、前回視聴していたＨＤＭＩ入力３ではなく、ＨＤＭＩ入力１に切り換わっていた。
【特許文献１】特表２００１−５０３９３０号公報
【発明の開示】
【発明が解決しようとする課題】
【００２２】
前述の図５において説明したように、ＴＶに接続されたＨＤＭＩ機器を切り換えるときに、ＴＶからＣＥＣによる＜セットストリームパス＞を送信していたが、切換先の機器によっては前述のＳ１０２のようにＴＶ側の入力を切り換える必要が生じる。しかし、切換先のＨＤＭＩ機器が＜セットストリームパス＞に対して、＜アクティブソース＞を返答するまでは、ＴＶ側の入力を切り換えることができない。すなわち、切換先のＨＤＭＩ機器が、ＨＤＭＩ接続の切断（コネクタ抜け）や、スタンバイ状態などであると、＜アクティブソース＞の返答がなされず、ＴＶ側の入力切換が行われないことになる。
【００２３】
ユーザにとっては、映像表示させたい機器に切換指示したにもかかわらず、ＴＶ側の入力が切り換わっていないため、切換先機器の状態がわからず不便であった。もし＜アクティブソース＞の有無にかかわらず、ＴＶ側において切換先の機器へ入力を切り換えることができれば、当該機器からＴＶへ映像が出力されているか否かで当該機器の状態（例えば、アクティブ機器であるかどうか）を知ることができるが、このような技術はこれまで実現されていない。
【００２４】
さらに、従来のＨＤＭＩ機器においては、＜アクティブソース＞を操作対象機器にするという設計がなされていたため、切換先の機器がアクティブでなければ、リモコンからの操作信号は、前回までアクティブであった切換元の機器に送られてしまい、ユーザの意図しない機器が操作されてしまい、ユーザを困惑させてしまうという問題がある。
【００２５】
また、前述の図７において説明したように、ＨＤＭＩの逐次入力の切換順（降順）と、ＨＤＭＩ以外の逐次入力の切換順とは順序が異なっており、統一がとれていなかったため、入力切換操作のときにユーザに違和感を与えることになる。この違和感は特に２系統以上のＨＤＭＩ端子を搭載したときにより顕著となる。
【００２６】
また、ＨＤＭＩ以外の入力からＨＤＭＩ入力へ切り換えたときに、ＨＤＭＩの特定の入力（例えば、ＨＤＭＩ入力１）に切り換わるようになっていた。このように常にＨＤＭＩ入力の初期設定が固定されていると、例えば、入力切換時に、ＴＶ視聴からその直前に視聴していたＨＤＭＩ入力（例えば、ＨＤＭＩ入力２）に戻したい場合などにすぐに切り換わらず、ユーザにとって使い勝手が悪かった。この使い勝手の悪さは上記同様、特にＨＤＭＩ端子を２系統以上搭載するとより顕著となる。
【００２７】
以上のように、従来のＨＤＭＩ機器の入力切換処理に係る操作性は十分なレベルとは言えず、特に多くの外部機器をＨＤＭＩ接続したときの入力切換に係る操作性について、よりユーザが使いやすいように改善する必要があった。
【００２８】
本発明は、上述のごとき実情に鑑みてなされたものであり、複数のＨＤＭＩ端子を備え、該ＨＤＭＩ端子を介して複数の外部機器と接続可能な表示装置において、外部機器の入力切換処理における操作性を改善すること、を目的とする。
より具体的には、
第１に、ユーザからの入力切換指示に対してＨＤＭＩ端子の入力切換が必要な場合、外部機器へＣＥＣコマンドを送信すると共に、外部機器からの応答の有無にかかわらず、外部機器に対応するＨＤＭＩ端子へ入力を切り換えること、
第２に、ＨＤＭＩの逐次入力の切換順を、ＨＤＭＩ以外の逐次入力の切換順に合わせて昇順にすること、
第３に、ＨＤＭＩ以外の入力からＨＤＭＩ入力へ切り換えるときに、特定のＨＤＭＩ入力ではなく、ユーザが前回視聴していたＨＤＭＩ入力に切り換えること、を目的とする。
【課題を解決するための手段】
【００２９】
上記課題を解決するために、本発明の第１の技術手段は、複数のＨＤＭＩ端子を備え、ＨＤＭＩ端子を介して複数の外部機器と接続可能な表示装置であって、ユーザ操作により複数の外部機器のいずれかへ入力切換の指示がなされたときに、入力切換指示された外部機器へ入力経路を切り換えるためのＣＥＣコマンドを送信する入力切換制御手段を備え、入力切換制御手段は、入力切換指示によりＨＤＭＩ端子の入力切換が必要と判定した場合、外部機器へＣＥＣコマンドを送信すると共に、ＣＥＣコマンドに対する外部機器からの応答の有無にかかわらず、外部機器の出力に対応する入力経路に接続されたＨＤＭＩ端子へ入力を切り換えることを特徴としたものである。
【００３０】
第２の技術手段は、第１の技術手段において、入力切換制御手段は、入力切換指示によりＨＤＭＩ端子の入力切換が不要と判定した場合、外部機器へＣＥＣコマンドを送信することを特徴としたものである。
【００３１】
第３の技術手段は、第１又は第２の技術手段において、入力切換制御手段は、表示装置への入力経路に対応するＨＤＭＩ端子が入力切換元のＨＤＭＩ端子の入力経路と異なる場合、ＨＤＭＩ端子の入力切換が必要と判定し、表示装置への入力経路に対応するＨＤＭＩ端子が入力切換元のＨＤＭＩ端子の入力経路と同じ場合、ＨＤＭＩ端子の入力切換が不要と判定することを特徴としたものである。
【００３２】
第４の技術手段は、第３の技術手段において、入力切換制御手段は、複数の外部機器の接続位置を示す物理アドレスに基づいて、複数のＨＤＭＩ端子を識別することを特徴としたものである。
【００３３】
第５の技術手段は、第１の技術手段において、テレビジョン放送信号を受信する受信手段を備え、入力切換制御手段は、入力切換元が受信手段である場合、ＨＤＭＩ端子への入力切換が必要と判定することを特徴としたものである。
【００３４】
第６の技術手段は、第１の技術手段において、ＨＤＭＩ端子以外の外部入力端子を備え、入力切換制御手段は、入力切換元が外部入力端子である場合、ＨＤＭＩ端子への入力切換が必要と判定することを特徴としたものである。
【００３５】
第７の技術手段は、第１の技術手段において、入力切換指示された外部機器がＣＥＣ非対応機器である場合又はＣＥＣ対応機器であってもＣＥＣコマンドに応答しなかった場合、入力切換制御手段は、ＨＤＭＩ端子の入力切換が必要と判定し、外部機器の出力に対応する入力経路に接続されたＨＤＭＩ端子へ入力を切り換えることを特徴としたものである。
【００３６】
第８の技術手段は、第１乃至第７のいずれか１の技術手段において、ＣＥＣコマンドは、ＨＤＭＩ規格で定義されたセットストリームパスであることを特徴としたものである。
【００３７】
第９の技術手段は、第１乃至第８のいずれか１の技術手段において、入力切換制御手段は、ユーザ操作により複数の外部機器の入力経路にそれぞれ対応するＨＤＭＩ入力を切り換える際に、複数の外部機器の接続位置を示す物理アドレスに従って昇順に切り換えることを特徴としたものである。
【００３８】
第１０の技術手段は、第９の技術手段において、ＣＥＣコマンドにより前回切り換えられた入力経路を記憶する記憶手段を備え、入力切換制御手段は、ユーザ操作によりＨＤＭＩ以外の入力からＨＤＭＩ入力へ切り換える際に、記憶手段に記憶された入力経路に対応するＨＤＭＩ入力に切り換えることを特徴としたものである。
【００３９】
第１１の技術手段は、第１乃至第１０のいずれか１の技術手段における表示装置と、該表示装置のＨＤＭＩ端子に直接にまたは他の外部機器のＨＤＭＩ端子を介して間接に接続される複数の外部機器とを備えた表示システムである。
【発明の効果】
【００４０】
本発明によれば、複数のＨＤＭＩ端子を備え、該ＨＤＭＩ端子を介して複数の外部機器と接続可能な表示装置において、外部機器の入力切換処理における操作性を改善することができる。
【発明を実施するための最良の形態】
【００４１】
以下、添付図面を参照しながら、本発明の表示装置及び該表示装置を備えた表示システムに係る好適な実施の形態について説明する。
【００４２】
図１は、本発明の表示システムにおけるＨＤＭＩ接続に係る要部構成例を説明するためのブロック図で、ソース機器１０と、リピータ機器２０と、シンク機器３０とがＨＤＭＩ接続されている構成を示すものである。なお、ソース機器１０は、例えばＨＤＭＩ出力端子を持つＤＶＤレコーダやＨＤＤレコーダ、ＤＶＤプレーヤ、Ｄ−ＶＨＳレコーダ、デジタルビデオカメラなどである。リピータ機器２０は、ＨＤＭＩ入力端子と出力端子とをもつＡＶアンプやレコーダ、プレーヤなどである。シンク機器３０は、ＨＤＭＩ入力端子をもつ液晶テレビやモニタなどの表示装置である。ＡＶアンプなどのリピータ機器２０が複数のＨＤＭＩ入力端子を持っていれば、複数のソース機器１０を接続することができ、ＡＶアンプのセレクタ機能によって入力ラインを切り換えることができる。
【００４３】
本発明に係るシンク機器３０は、リピータ機器２０とソース機器１０の動作状態を検出し、リピータ機器２０とソース機器１０の動作状態を制御するために、ＣＥＣライン４２を介して転送されるＣＥＣコマンドが用いられる。前述したように、ＣＥＣコマンドは、ＨＤＭＩ規格のＣＥＣプロトコルに基づく制御信号である。そして、この制御信号を機器間でやりとりすることにより、シンク機器３０と接続機器との間で各種の動作制御を実現する。
【００４４】
なお、ＨＤＭＩケーブルは、デジタル信号である映像・音声信号を差動方式で伝送するためのＴＭＤＳ(Transition Minimized Differential Signaling)ライン（デジタル信号ライン）４１と、機器間で共通の制御信号（ＣＥＣコマンド）を伝送する双方向バスであるＣＥＣライン４２とを含んでいる。またこの他、ＨＤＭＩケーブルには、ＥＤＩＤ（Extended Display Identification Data）の送信やＨＤＣＰ(High-bandwidth Digital Content Protection system)認証等に利用される図示しないＤＤＣ(Display Data Channel)ラインが含まれる。
【００４５】
以下、ソース機器１０，リピータ機器２０，及びシンク機器３０のＨＤＭＩ接続に係る要部構成について説明する。
ソース機器１０は、ＨＤＭＩトランスミッタ１１、ＨＯＳＴ ＣＰＵ１２、フロントマイコン１３、ＣＥＣ Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００４６】
ＣＥＣ Ｉ／Ｆ１４は、ＨＤＭＩケーブル内のＣＥＣライン４２を接続し、リピータ機器２０との間でＣＥＣコマンドの双方向通信を可能とする。ＣＥＣ Ｉ／Ｆ１４の動作は、ＣＥＣコントローラを含むフロントマイコン１３により制御され、ＣＥＣコマンドによってＨＤＭＩ接続された機器を制御することができる。ＣＥＣの場合、ＨＤＭＩ接続された各機器の論理アドレス（機器の種別）と物理アドレス（機器の位置）が取得されるため、この物理アドレスを指定することで所望の機器にＣＥＣコマンドを送信することができる。
【００４７】
ＨＯＳＴ ＣＰＵ１２は装置全体を制御する。またフロントマイコン１３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ ＣＰＵ１２がダウンしているときも、フロントマイコン１３は動作している（少なくともＣＥＣコマンドの転送が可能な状態で動作する）。
【００４８】
リピータ機器２０は、ＨＤＭＩレシーバ２１、ＨＤＭＩトランスミッタ２２、ＨＯＳＴ ＣＰＵ２３、フロントマイコン２４、及びＣＥＣ Ｉ／Ｆ２５を備えている。リピータ機器２０は、ソース機器１０から転送されたストリームをＨＤＭＩレシーバ２１で受信し、さらにＨＤＭＩトランスミッタ２２から送出して、シンク機器３０に転送する。またＣＥＣ Ｉ／Ｆ２５によって、ソース機器１０との間のＣＥＣライン４２と、シンク機器３０との間のＣＥＣライン４２とを接続する。
【００４９】
ＨＯＳＴ ＣＰＵ２３とフロントマイコン２４は、上述のソース機器１０と同様の機能を備え、ＨＯＳＴ ＣＰＵ２３は、ＨＤＭＩレシーバ２１とＨＤＭＩトランスミッタ２２とを制御するとともに装置全体を制御する。またフロントマイコン２４はＣＥＣコントローラを含み、ＣＥＣライン４２から転送されてくるＣＥＣコマンドを監視する。
【００５０】
シンク機器３０は、ＨＤＭＩレシーバを内蔵したＨＯＳＴ ＣＰＵ３１、フロントマイコン３２、ＣＥＣ Ｉ／Ｆ３３、メモリ３４、及び受光部３５を備えている。シンク機器３０は、リピータ機器２０で転送されたストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。またメモリ３４には、シンク機器３０の制御プログラムなどが格納されている。
【００５１】
ＨＯＳＴ ＣＰＵ３１は、ＨＤＭＩレシーバを内蔵し、また装置全体を制御している。またフロントマイコン３２は、ＣＥＣコントローラを含み、ＣＥＣライン４２から転送されてくるＣＥＣコマンドを監視する。フロントマイコン３２は、リモコン装置３６からのリモコン信号を受信する受光部３５を制御している。そして装置のスタンバイモードなどにおいてＨＯＳＴ ＣＰＵ３１がダウンしているときでも、フロントマイコン３２が動作し、ＣＥＣコマンドの送受信とリモコン信号の受信とが可能な状態に維持している。
【００５２】
図２は、本発明の一実施形態に係る表示装置の構成例を示すブロック図で、本発明の表示装置をテレビ装置に適用した例を示すものである。図中、１００はテレビ装置で、図１に示したシンク機器３０と同様のＨＤＭＩ・ＣＥＣ機能を備える。
テレビ装置１００は、テレビジョン放送信号を選局して復調する本発明の受信手段に相当するＴＶチューナ１０１と、復調した放送信号からＥＰＧデータの抽出や復調されたデータの分離を行うデマルチプレクサ１０２と、分離されたデジタル放送の映像信号と音声信号とをデコードするデコーダ１０３とを備えている。
【００５３】
またテレビ装置１００は、システム全体の制御を行うシステム制御部１０４と、システム制御部１０４からのバスの使用要求を受けてバスの使用許可を与えるバス調停部１０５とを有している。バス調停部１０５は、一時に一つのバスの使用要求があったときはただちに使用許可を与え、一時に複数の使用要求があったときは、すなわちバスの使用要求が競合したときは、予めシステム制御部１０４等に定められている優先度に従ってバスの使用許可を与える。
【００５４】
テレビ装置１００には、１つの外部入力端子１０６と、３つのＨＤＭＩ端子１０７〜１０９（ＨＤＭＩ端子１，２，３）とが設けられる。これら外部入力端子１０６とＨＤＭＩ端子１０７〜１０９とを切り換えるために入力切換メニューが用意され、メモリ１１５に保持される。メモリ１１５は不揮発性メモリなどの本発明の記憶手段に相当し、テレビ装置１００を動作させるための制御プログラムや各種データなどを格納する。
【００５５】
外部入力端子１０６は、ＨＤＭＩ入力以外の外部入力用の端子であり、例えば、ビデオ入力端子、ＩＥＥＥ１３９４、ＵＳＢなどのインタフェースである。ＨＤＭＩ端子１０７〜１０９は、ＨＤＭＩケーブルを介して複数の外部機器を接続し、ＣＥＣラインにより外部機器との間でＣＥＣコマンドの送受信を行うと共に、ＴＭＤＳラインにより外部機器から映像信号（音声信号含む）を受信する。
【００５６】
画像処理部１１０では、ノイズリダクション、スケーリングやＩＰ変換等の映像信号変換処理を適宜必要に応じて実施する。また画質強調補正処理やγ補正処理等の画質調整を適宜実施する。また画像信号変換処理において、各種の３次元画像処理を行うためにフレームメモリ１１２が使用される。デバイス駆動部１１１は、液晶パネル等の表示デバイス１１３を駆動制御して、画像処理部１１０から出力された映像信号を表示デバイス１１３に表示させる。またテレビ装置１００には、ユーザが操作するリモートコントローラ（図示せず）からの赤外線信号を受信する赤外線受光部１１４が設けられる。
【００５７】
また、デコーダ１０３でデコードされた音声信号は、音声処理部１１６で処理され、この音声信号がスピーカ１１７に供給され、音声が再生される。
【００５８】
システム制御部１０４は、マイコン等で構成される入力切換制御手段１０４ａを備え、ＴＶチューナ１０１，外部入力端子１０６，ＨＤＭＩ端子１０７〜１０９の入力切換を制御する。入力切換制御手段１０４ａは、ユーザ操作により、ＨＤＭＩ端子１０７〜１０９に接続された複数の外部機器のいずれかへ入力切換の指示がなされたときに、入力切換指示された外部機器へ入力経路を切り換えるためのＣＥＣコマンドを送信する。このＣＥＣコマンドは、例えば、前述の図５で説明した＜セットストリームパス＞である。
【００５９】
図３は、本発明のテレビ装置１００による入力切換処理の一例を説明するための図である。本発明のテレビ装置１００の主たる特徴部分は、入力切換制御手段１０４ａにより以下の処理を実行することにある。
第１に、ユーザからの入力切換指示に対してＨＤＭＩ端子の入力切換が必要な場合、外部機器へ＜セットストリームパス＞を送信すると共に、外部機器からの応答＜アクティブソース＞の有無にかかわらず、外部機器の出力に対応する入力経路に接続されたＨＤＭＩ端子へ入力を切り換える。
第２に、ＨＤＭＩの逐次入力の切換順を、ＨＤＭＩ以外の逐次入力の切換順に合わせて昇順にする。
第３に、ＨＤＭＩ以外の入力からＨＤＭＩ入力へ切り換えるときに、特定のＨＤＭＩ入力ではなく、ユーザが前回視聴していたＨＤＭＩ入力に切り換える。
【００６０】
図３において、テレビ装置１００は、３つのＨＤＭＩ端子１０７〜１０９を備え、ＨＤＭＩ端子１０７を介してＡＶアンプ２０１，チューナ２０２，プレーヤ２０３，レコーダ２０４，チューナ２０５，チューナ２０６と接続される。また、ＨＤＭＩ端子１０８を介してＣＥＣ非対応機器２０７と接続され、ＨＤＭＩ端子１０９を介してプレーヤ２０８，プレーヤ２０９、チューナ２１０と接続される。なお、前述の図５において説明したように、各機器に割り当てられている（０．０．０．０），（１．０．０．０），…，（３．２．０．０）の数字は各機器の接続位置を示す物理アドレスである。
【００６１】
本発明の好適な実施形態としてＨＤＭＩ端子を３つ搭載した例を示しているが、ＨＤＭＩ端子は２つ以上であればよく、３つに限定されるものではない。また、ＨＤＭＩ端子に接続される複数の外部機器についても本例の接続構成に限定されるものではない。
【００６２】
本実施形態において、入力切換制御手段１０４ａは、ユーザ操作により複数の外部機器のＨＤＭＩ入力を切り換える際に、外部機器の物理アドレスに従って昇順に切り換える。すなわち、物理アドレスに従って、入力１，入力２，入力３，…，入力９，入力１の順にトグル動作で切り換えられる。以下の説明では、昇順（入力１，入力２，入力３，…）にＨＤＭＩ入力を逐次切り換えていく。
【００６３】
図３において、まず、ユーザがテレビ装置１００に接続されたチューナ２０２の映像出力を視聴しているものとする。ユーザが入力ソースをチューナ２０２からプレーヤ２０３に切り換えるため（Ｓ１）、テレビ装置１００本体の操作部又はテレビ装置１００付属のリモコンにより、テレビ装置１００のメニュー（ＨＤＭＩ機器選択）を選択し、プレーヤ２０３の出力を切換先に指定する。テレビ装置１００の入力切換制御手段１０４ａは、映像表示したいプレーヤ２０３の物理アドレス（１．２．０．０）をパラメータに付加して、＜セットストリームパス＞というＣＥＣコマンドをブロードキャストする。
【００６４】
テレビ装置１００からの＜セットストリームパス（１．２．０．０）＞を受けて、リピータ機器であるＡＶアンプ２０１は、プレーヤ２０３側へ入力を切り換える。そして、プレーヤ２０３は、自身が安定した映像出力可能な状態（すなわち、アクティブな状態）であればストリームを出力し、さらに、アクティブ機器であることを示す＜アクティブソース＞をブロードキャスト（送信）する。テレビ装置１００はプレーヤ２０３からの映像を出力させ、ユーザはリモコンによりプレーヤ２０３を操作することができる。
【００６５】
以下、ＨＤＭＩ端子１０７に接続されているＡＶアンプ２０１，チューナ２０２，プレーヤ２０３，レコーダ２０４，チューナ２０５，及びチューナ２０６の場合、同様の切換処理が行われる。すなわち、ユーザが入力ソースをプレーヤ２０３からレコーダ２０４に切り換える処理（Ｓ２）、レコーダ２０４からチューナ２０５に切り換える処理（Ｓ３）、チューナ２０５からチューナ２０６に切り換える処理（Ｓ４）において、上記Ｓ１の処理と同様に、テレビ装置１００から＜セットストリームパス＞が送信される。そして、この＜セットストリームパス＞で指定される物理アドレスの外部機器へ、リピータ機器であるＡＶアンプ２０１，レコーダ２０４が入力を切り換える。
【００６６】
次に、ユーザが入力ソースをチューナ２０６からＣＥＣ非対応機器２０７に切り換えるため（Ｓ５）、テレビ装置１００本体の操作部又はテレビ装置１００付属のリモコンにより、テレビ装置１００のメニュー（ＨＤＭＩ機器選択）を選択し、ＣＥＣ非対応機器２０７の出力を切換先に指定する。ＣＥＣ対応機器が接続されていない場合、物理アドレスが取得できないため、＜セットストリームパス＞は送信されない。そこで、入力切換制御手段１０４ａが、ＣＥＣ対応機器が接続されていない入力を判定し、その入力（ここではＨＤＭＩ端子１０８）へ自動的に切り換える。このとき、入力切換制御手段１０４ａは、＜ルーティングチェンジ（１．０．０．０）（２．０．０．０）＞のようにルート変更を示すＣＥＣコマンドをブロードキャストするようにしてもよい。
【００６７】
なお、ＣＥＣ非対応機器については、テレビ装置側でＣＥＣ対応機器が接続されていないと判定したＨＤＭＩ入力へ入力切換が行われるため、直接テレビ装置に接続されているＣＥＣ非対応機器が入力切換の対象となる。
【００６８】
次に、ユーザが入力ソースをＣＥＣ非対応機器２０７からプレーヤ２０８に切り換えるため（Ｓ６）、テレビ装置１００本体の操作部又はリモコンにより、テレビ装置１００のメニュー（ＨＤＭＩ機器選択）を選択し、プレーヤ２０８の入力を切換先に指定する。テレビ装置１００の入力切換制御手段１０４ａは、映像表示したいプレーヤ２０８の物理アドレス（３．０．０．０）をパラメータに付加して、＜セットストリームパス＞をブロードキャストする。
【００６９】
テレビ装置１００からの＜セットストリームパス（３．０．０．０）＞を受けて、プレーヤ２０８は、自身が安定した映像出力可能な状態であればストリームを出力し、さらに、アクティブ機器であることを示す＜アクティブソース＞をブロードキャスト（送信）する。このとき、テレビ装置１００の入力切換制御手段１０４ａは、プレーヤ２０８からの＜アクティブソース＞の有無にかかわらず、テレビ装置側の入力をＨＤＭＩ端子１０８からＨＤＭＩ端子１０９へ自動的に切り換える。さらに、入力切換制御手段１０４ａは、＜ルーティングチェンジ（２．０．０．０）（３．０．０．０）＞のようにルート変更を示すＣＥＣコマンドをブロードキャストするようにしてもよい。
【００７０】
テレビ装置１００は、プレーヤ２０８がアクティブ機器であれば、プレーヤ２０８からの映像を出力させ、ユーザはリモコンによりプレーヤ２０８を操作することができる。また、プレーヤ２０８がアクティブ機器でなければ、プレーヤ２０８からの映像が出力されないため、ユーザは切換先機器がアクティブ機器でないことがわかる。しかし、テレビ側の入力が切り換わっているので、アクティブ機器でなくてもリモコンによりプレーヤ２０８を操作することができる。
【００７１】
以下、ＨＤＭＩ端子１０９に接続されているプレーヤ２０８，プレーヤ２０９，及びチューナ２１０の場合、上記Ｓ１〜Ｓ４と同様の切換処理が行われる。すなわち、ユーザが入力ソースをプレーヤ２０８からプレーヤ２０９に切り換える処理（Ｓ７）、プレーヤ２０９からチューナ２１０に切り換える処理（Ｓ８）において、上記Ｓ１〜Ｓ４の処理と同様に、テレビ装置１００から＜セットストリームパス＞が送信される。そして、この＜セットストリームパス＞で指定される物理アドレスの外部機器へ、リピータ機器であるプレーヤ２０８が入力を切り換える。
【００７２】
最後に、ユーザが入力ソースをチューナ２１０からチューナ２０２に切り換えるため（Ｓ９）、テレビ装置１００本体の操作部又はリモコンにより、テレビ装置１００のメニュー（ＨＤＭＩ機器選択）を選択し、チューナ２０２の入力を切換先に指定する。テレビ装置１００の入力切換制御手段１０４ａは、映像表示したいチューナ２０２の物理アドレス（１．１．０．０）をパラメータに付加して、＜セットストリームパス＞をブロードキャストする。
【００７３】
テレビ装置１００からの＜セットストリームパス（１．１．０．０）＞を受けて、リピータ機器であるＡＶアンプ２０１は、チューナ２０２側へ入力を切り換える。そして、チューナ２０２は、自身が安定した映像出力可能な状態であればストリームを出力し、さらに、アクティブ機器であることを示す＜アクティブソース＞をブロードキャスト（送信）する。このとき、テレビ装置１００の入力切換制御手段１０４ａは、チューナ２０２からの＜アクティブソース＞の有無にかかわらず、テレビ装置側の入力をＨＤＭＩ端子１０９からＨＤＭＩ端子１０７へ自動的に切り換える。さらに、入力切換制御手段１０４ａは、＜ルーティングチェンジ（３．０．０．０）（１．１．０．０）＞のようにルート変更を示すＣＥＣコマンドをブロードキャストするようにしてもよい。
【００７４】
テレビ装置１００は、チューナ２０２がアクティブ機器であれば、チューナ２０２からの映像を出力させ、ユーザはリモコンによりチューナ２０２を操作することができる。また、チューナ２０２がアクティブ機器でなければ、チューナ２０２からの映像が出力されないため、ユーザは切換先機器がアクティブ機器でないことがわかる。しかし、テレビ側の入力が切り換わっているので、アクティブ機器でなくてもリモコンによりチューナ２０２を操作することができる。以下、ユーザ操作に従い、入力１，入力２，…,入力９の順に入力を切り換える。
【００７５】
ここで、上記Ｓ６とＳ９のように、テレビ装置１００への入力経路に対応するＨＤＭＩ端子（入力切換先）が入力切換元のＨＤＭＩ端子と異なる場合、入力切換制御手段１０４ａは、ユーザからの入力切換指示に対してＨＤＭＩ端子の入力切換が必要と判定する。この場合、切換先機器へ＜セットストリームパス＞を送信すると共に、＜セットストリームパス＞に対する切換先機器の＜アクティブソース＞の応答の有無にかかわらず、切換先機器の出力に対応する入力経路に接続されたＨＤＭＩ端子へ入力を切り換える。
【００７６】
すなわち、当該切換先機器が、ＨＤＭＩ接続の切断（コネクタ抜け）や、スタンバイ状態などの理由で＜アクティブソース＞の応答がなくても、テレビ側の入力を自動的に切り換えるため、ユーザは切換先機器の状態を知ることができる。例えば、切換先機器からテレビ装置へ映像が出力されているか否かで当該機器の状態（例えば、アクティブ機器かどうか）を知ることができる。なお、切換先となる外部機器は、テレビ装置１００のＨＤＭＩ端子に直接接続されていても、他の外部機器のＨＤＭＩ端子を介して間接的に接続されていても構わない。
【００７７】
また、上記Ｓ５の場合、テレビ装置１００への入力経路に対応するＨＤＭＩ端子（入力切換先）が入力切換元のＨＤＭＩ端子と異なるため、入力切換制御手段１０４ａは、ユーザからの入力切換指示に対してＨＤＭＩ端子の入力切換が必要と判定する。しかし、入力切換先がＣＥＣ非対応機器であるため、物理アドレスを取得することができない。従って、＜セットストリームパス＞を送信せずに、テレビ側の入力のみを切り換える。なお、ＣＥＣ非対応機器に限らず、ＣＥＣ対応機器であっても、何らかの理由で非通電となっている場合にも物理アドレスを取得できないことがある。この場合も、＜セットストリームパス＞を送信せずに、テレビ側の入力のみを切り換えるようにしてもよい。
【００７８】
また、上記Ｓ１〜Ｓ４，Ｓ７，Ｓ８のように、テレビ装置１００への入力経路に対応するＨＤＭＩ端子（入力切換先）が入力切換元のＨＤＭＩ端子と同じ場合、入力切換制御手段１０４ａは、ユーザからの入力切換指示に対してＨＤＭＩ端子の入力切換が不要と判定する。この場合、切換先機器へ＜セットストリームパス＞のみ送信する。
【００７９】
ここで、テレビ装置１００への入力経路に対応するＨＤＭＩ端子（入力切換先）が入力切換元のＨＤＭＩ端子と異なるかどうかを判定する方法について説明する。この判定方法の一つとして、入力切換制御手段１０４ａが、複数の外部機器の接続位置を示す物理アドレスに基づいて、複数のＨＤＭＩ端子を識別するようにしてもよい。例えば、ＨＤＭＩ端子１０７に接続されている機器は物理アドレスの先頭が“１”となり、ＨＤＭＩ端子１０８に接続されている機器は物理アドレスの先頭が“２”となり、ＨＤＭＩ端子１０９に接続されている機器は物理アドレスの先頭が“３”となる。この物理アドレスが分かれば、入力切換元と入力切換先のＨＤＭＩ端子が異なるかどうかを容易に判定することができる。
【００８０】
また、テレビ装置１００は、図２に示したようにＴＶチューナ１０１，外部入力端子１０６を備える。このようなＨＤＭＩ以外の入力ソースからＨＤＭＩ入力へ切り換えたときも、上記Ｓ６，Ｓ９と同様の入力切換処理を行うようにしてもよい。すなわち、入力切換元がＴＶチューナ１０１あるいは外部入力端子１０６である場合、入力切換制御手段１０４ａは、ユーザからの入力切換指示に対してＨＤＭＩ端子の入力切換が必要と判定する。この場合、切換先機器へ＜セットストリームパス＞を送信すると共に、＜セットストリームパス＞に対する切換先機器の＜アクティブソース＞の応答の有無にかかわらず、テレビ側の入力を切り換える。
【００８１】
このように、ユーザからの入力切換指示に対してＨＤＭＩ端子の入力切換が必要な場合、外部機器へＣＥＣコマンドを送信すると共に、外部機器からの応答の有無にかかわらず、外部機器の出力に対応する入力経路に接続されたＨＤＭＩ端子へ入力を切り換えることができるため、ユーザは切換先機器の状態を知ることができる。例えば、切換先機器から表示装置へ映像が出力されているか否かで当該切換先機器の状態（例えば、アクティブ機器かどうか）を知ることができる。また、テレビ側の入力が切り換わっているので、アクティブ機器でなくてもリモコンにより当該切換先機器を操作することができる。
【００８２】
図３において、入力切換制御手段１０４ａは、ユーザ操作により複数のＨＤＭＩ機器のＨＤＭＩ入力を切り換える際に、複数のＨＤＭＩ機器の接続位置を示す物理アドレスに従って昇順に切り換える。このため、ＨＤＭＩの逐次入力の切換順が、ＨＤＭＩ以外の逐次入力の切換順に合わせて昇順となり、ユーザに違和感を与えることがない。特に、３系統以上のＨＤＭＩ端子を搭載したときに、逐次入力操作がし易くなる。
【００８３】
また、テレビ装置１００は、図２に示したようにメモリ１１５を備える。入力切換制御手段１０４ａは、ＣＥＣコマンドにより前回切り換えられた入力経路（すなわち、前回＜セットストリームパス＞を送った先の物理アドレス）をメモリ１１５に記憶するようにしてもよい。そして、入力切換制御手段１０４ａは、ユーザ操作によりＨＤＭＩ以外の入力からＨＤＭＩ入力へ切り換える際に、メモリ１１５に記憶された入力経路に対応するＨＤＭＩ入力に切り換える。このため、ＨＤＭＩ以外の入力からＨＤＭＩ入力へ切り換えたときに、特定のＨＤＭＩ入力ではなく、ユーザが前回視聴していたＨＤＭＩ入力に切り換えることができる。例えば、入力切換時にＴＶ視聴からその直前に視聴していたＨＤＭＩ入力（例えばＨＤＭＩ入力２）に戻したい場合などにすぐに切り換えることができ、ユーザの使い勝手がよくなる。特に、ＨＤＭＩ端子を３系統以上搭載したときに操作性が向上する。
【００８４】
なお、直前に視聴していたＨＤＭＩの入力経路をメモリ１１５に記憶する際のトリガは、例えば、前回ＨＤＭＩの入力経路を切り換えるために＜セットストリームパス＞を送った時点とし、このときの切換先機器の物理アドレスを入力経路として記憶する。具体的には、テレビのチューナ入力等のＨＤＭＩ以外の入力からＨＤＭＩ入力への切換後や、外部機器からの＜アクティブソース＞の受信によるＨＤＭＩ入力への切換後における入力経路を記憶しておく。
【００８５】
図４は、本発明のテレビ装置１００による逐次入力切換処理の一例を説明するためのフロー図である。本例では説明を簡単にするために、ＨＤＭＩ端子１〜３にそれぞれ一つのソース機器が接続され、その物理アドレスが順を（１．０．０．０），（２．０．０．０），（３．０．０．０）とする。
【００８６】
まず、テレビ装置１００は、視聴ソースがＨＤＭＩ以外（例えば、チューナ入力や外部入力など）かどうかを判定し（ステップＳ１）、視聴ソースがＨＤＭＩである場合（ＮＯの場合）、ネットワーク上にＨＤＭＩ・ＣＥＣ接続機器があるかどうかを判定する（ステップＳ２）。これは、物理アドレスを取得できた接続機器があるかどうかで判定することができる。
【００８７】
テレビ装置１００は、ステップＳ２において、ＨＤＭＩ・ＣＥＣ接続機器がないと判定した場合（ＮＯの場合）、次のＨＤＭＩ入力にＣＥＣ非対応機器が接続されている場合があるため、前回のＨＤＭＩ選択機器のＨＤＭＩ入力の次のＨＤＭＩ入力に切り換える（ステップＳ３）。また、ステップＳ２において、ＨＤＭＩ・ＣＥＣ接続機器が有る場合（ＹＥＳの場合）、ＨＤＭＩ・ＣＥＣネットワーク中において、前回のＨＤＭＩ選択機器の物理アドレスより一つ大きい物理アドレスを検索する（ステップＳ４）。例えば、前回の物理アドレスが（２．０．０．０）であれば、一つ大きい物理アドレスとして（３．０．０．０）が検索される。
【００８８】
次に、テレビ装置１００は、ステップＳ５において、前回の物理アドレスより一つ大きい物理アドレスが検索されたかどうかを判定する。ここで、一つ大きい物理アドレスが検索されない場合（ＮＯの場合）、テレビ以外（物理アドレスが０．０．０．０以外）の最小アドレスへ入力を切り換えて（ステップＳ６）、ステップＳ７へ移行する。ここで、１台の機器しか接続されていないと常に最小のアドレスが取得されることになる。また、ステップＳ５において、一つ大きい物理アドレスが検索された場合（ＹＥＳの場合）、取得した物理アドレスがＮＧ条件を満たすかどうかを判定する（ステップＳ７）。
【００８９】
ステップＳ７の判定処理は、＜セットストリームパス＞により入力経路を切り換えるかどうかの判定を行うものである。ＮＧ条件を満たす場合、ステップＳ８に移行して、テレビ側で逐次入力切換処理（昇順）を行う。このＮＧ条件とは、例えば、取得した物理アドレスが前回と同じアドレスである場合（前回と同じ機器、すなわち１台の機器しか接続していない場合）や、取得した物理アドレスがＨＤＭＩ１→３，ＨＤＭＩ２→１，ＨＤＭＩ３→２等のように前回アドレスから途中を抜かしている場合などである。例えば、ＨＤＭＩ端子２にＣＥＣ対応機器が接続されていない場合、前回の物理アドレス（１．０．０．０）の機器の次に検索されるのは物理アドレス（３．０．０．０）の機器となる。この場合、もしＨＤＭＩ端子２にＣＥＣに対応した機器が接続されていないと、これを飛ばしてしまうことになり逐次切換にならず具合が悪い。このためＮＧとしている。
【００９０】
テレビ装置１００は、ステップＳ７において、ＮＧ条件を満たすと判定した場合（ＹＥＳの場合）、ＨＤＭＩ１→２→３→１（逐次昇順）の循環を行うようにテレビ側で入力を切り換える（ステップＳ８）。また、ステップＳ７において、ＮＧ条件ではないと判定した場合（ＮＯの場合）、取得した物理アドレスに対応するＨＤＭＩ端子にテレビ側で入力を切り換える（ステップＳ９）。そして、取得した物理アドレスを付加してＣＥＣによる経路切り換え要求＜セットストリームパス＞をブロードキャストする（ステップＳ１０）。なお、ステップＳ９とステップＳ１０の処理は同時あるいは前後しても構わない。
【００９１】
また、テレビ装置１００は、ステップＳ１において、視聴ソースがチューナ入力などのＨＤＭＩ以外と判定した場合（ＹＥＳの場合）、前回のＨＤＭＩ選択機器のＨＤＭＩ入力へテレビ側で入力を切り換える（ステップＳ１１）。そして、前回のＨＤＭＩ選択機器がＨＤＭＩ・ＣＥＣネットワーク内にまだあるかどうかを判定する（ステップＳ１２）。
【００９２】
テレビ装置１００は、ステップＳ１２において、前回のＨＤＭＩ選択機器がＨＤＭＩ・ＣＥＣネットワーク内にないと判定した場合（ＮＯの場合）、そのまま終了する。また、ステップＳ１２において、前回のＨＤＭＩ選択機器がＨＤＭＩ・ＣＥＣネットワーク内にあると判定した場合（ＹＥＳの場合）、前回のＨＤＭＩ選択機器の物理アドレスを付加してＣＥＣによる経路切り換え要求＜セットストリームパス＞をブロードキャストする（ステップＳ１３）。
【００９３】
ここでは入力切換処理を昇順に逐次行う例について説明したが、ＨＤＭＩ入力にスキップ設定するようにしてもよい。この場合、スキップ設定された入力は選択されずに飛ばされることになる。入力を１つ飛ばすか複数飛ばすかは任意に設定できるものとする。また、スキップ設定された場合、トグル動作で昇順に切り換える際に、メニュー上の当該入力がグレーアウト等されて選択できない状態となる。
【００９４】
以上説明したように、本発明によれば、複数のＨＤＭＩ端子を備え、該ＨＤＭＩ端子を介して複数の外部機器と接続可能な表示装置において、外部機器の入力切換処理における操作性を改善することができる。
【００９５】
より具体的には、ユーザからの入力切換指示に対してＨＤＭＩ端子の入力切換が必要な場合、外部機器へＣＥＣコマンドを送信すると共に、外部機器からの応答の有無にかかわらず、外部機器の出力に対応する入力経路に接続されたＨＤＭＩ端子へ入力を切り換えることができるため、ユーザは切換先機器の状態を知ることができる。例えば、切換先機器から表示装置へ映像が出力されているか否かで当該機器の状態（例えば、アクティブ機器かどうか）を知ることができる。
【００９６】
また、ＨＤＭＩの逐次入力の切換順を、ＨＤＭＩ以外の逐次入力の切換順に合わせて昇順にすることができるため、ユーザに違和感を与えることがない。特に、３系統以上のＨＤＭＩ端子を搭載したときに、逐次入力操作がし易くなる。
【００９７】
また、ＨＤＭＩ以外の入力からＨＤＭＩ入力へ切り換えたときに、特定のＨＤＭＩ入力ではなく、ユーザが前回視聴していたＨＤＭＩ入力に切り換えることができるため、入力切換時に、ＴＶ視聴からその直前に視聴していたＨＤＭＩ入力（例えば、ＨＤＭＩ入力２）に戻したい場合などにすぐに切り換えることができ、ユーザの使い勝手がよくなる。特に、ＨＤＭＩ端子を３系統以上搭載したときに操作性が向上する。
【図面の簡単な説明】
【００９８】
【図１】本発明の表示システムにおけるＨＤＭＩ接続に係る要部構成例を説明するためのブロック図である。
【図２】本発明の一実施形態に係る表示装置の構成例を示すブロック図である。
【図３】本発明のテレビ装置による入力切換処理の一例を説明するための図である。
【図４】本発明のテレビ装置による逐次入力切換処理の一例を説明するためのフロー図である。
【図５】従来のＨＤＭＩ機器における入力切換処理の一例を説明するための図である。
【図６】従来のＨＤＭＩ機器選択におけるユーザ操作の例について説明するための図である。
【図７】従来のＴＶが備える入力切換機能による逐次入力切換順序を説明するための図である。
【符号の説明】
【００９９】
１０…ソース機器、１１…ＨＤＭＩトランスミッタ、１２…ＨＯＳＴ ＣＰＵ、１３…フロントマイコン、１４…ＣＥＣ Ｉ／Ｆ、２０，４０１，４０２…リピータ機器、２１…ＨＤＭＩレシーバ、２２…ＨＤＭＩトランスミッタ、２３…ＨＯＳＴ ＣＰＵ、２４…フロントマイコン、２５…ＣＥＣ Ｉ／Ｆ、３０…シンク機器、３１…ＨＯＳＴ ＣＰＵ、３２…フロントマイコン、３３…ＣＥＣ Ｉ／Ｆ、３４…メモリ、３５…受光部、３６…リモコン装置、４１…ＴＭＤＳライン、４２…ＣＥＣライン、１００，３００…テレビ装置、１０１…ＴＶチューナ、１０２…デマルチプレクサ、１０３…デコーダ、１０４…システム制御部、１０４ａ…入力切換制御手段、１０５…バス調停部、１０６…外部入力端子、１０７，１０８，１０９…ＨＤＭＩ端子、１１０…画像処理部、１１１…デバイス駆動部、１１２…フレームメモリ、１１３…表示デバイス、１１４…赤外線受光部、１１５…メモリ、１１６…音声処理部、１１７…スピーカ、２０１…ＡＶアンプ、２０２，２０５，２０６，２１０，４０３，４０４…チューナ、２０３，２０８，２０９，４０５，４０６…プレーヤ、２０４…レコーダ、２０７…ＣＥＣ非対応機器。
【図１】
2008205562.tif 000003
【図２】
2008205562.tif 000004
【図３】
2008205562.tif 000005
【図４】
2008205562.tif 000006
【図５】
2008205562.tif 000007
【図６】
2008205562.tif 000008
【図７】
2008205562.tif 000009